(57)【要約】【課題】多列化された検出器アレイを有するＣＴ装置において、各検出器列に入射するＸ線強度を均一化する。【解決手段】Ｘ線源（２１）と、被検体（Ｊ）との間に配置されるフィルタ板（２５）を、前記Ｘ線源から照射されたＸ線のＺ軸方向のＸ線強度分布の均一性が、前記フィルタ板を通過する前よりも前記フィルタ板を通過した後の方が高くなるように、その板厚をＺ軸方向に変化させたものとする。【選択図】図５
2009028110.tif 000002
【特許請求の範囲】
【請求項１】
Ｘ線コンピュータ断層撮影（ＣＴ）装置（１００）であって、
Ｘ線源（２１）と、
複数個配列された検出器素子が被検体（Ｊ）の体軸方向であるＺ軸方向に複数列配列され、前記Ｘ線源（２１）から照射されたＸ線を収集するＸ線検出アレイ（２７）と、
前記被検体（Ｊ）を載置し、前記Ｘ線源（２１）及び前記Ｘ線検出アレイ（２７）との間に前記被検体を配置する撮影テーブル（１０）と、
前記Ｘ線源（２１）と、前記被検体（Ｊ）との間に配置されたフィルタ板（２５）と、
前記被検体（Ｊ）と前記フィルタ板（２５）の間に配置され、前記Ｘ線源から照射されたＸ線の照射範囲を制限するコリメータ（２３）と、
を含み、
前記フィルタ板（２５）は、前記Ｘ線源から照射されたＸ線のＺ軸方向のＸ線強度分布の均一性が、前記フィルタ板を通過する前よりも前記フィルタ板を通過した後の方が高くなるように、その板厚をＺ軸方向に変化させたものである、Ｘ線ＣＴ装置（１００）。
【請求項２】
前記Ｘ線源は、複数の線質のＸ線をそれぞれ照射するものであり、
前記Ｘ線ＣＴ装置は、前記複数の線質のＸ線それぞれに対応させた、材料が異なる複数の前記フィルタ板含んでいる、請求項１に記載のＸ線ＣＴ装置（１００）。
【請求項３】
前記Ｘ線ＣＴ装置（１００）は、前記Ｘ線源（２１）および前記検出器アレイ（２７）を回転させる回転部を有しており、ヘリカル・スキャンを行うに際し、被検体の所望の撮影位置について、前記第１のフィルタを通過したＸ線を用いた前記被検体（Ｊ）の走査を行うために、前記回転部により前記Ｘ線源および前記検出器アレイを所定角度範囲回転させ、別の回転範囲において、前記被検体の所望の撮影位置について、前記第２のフィルタを通過したＸ線を用いた前記被検体（Ｊ）の走査を行うように構成されている、請求項２に記載のＸ線ＣＴ装置（１００）。
【請求項４】
前記フィルタ板（２５）は、前記Ｘ検出アレイにより検出されたＸ線の前記Ｚ軸方向と垂直な方向において、前記被検体を通過するＸ線が通過する部分が薄く、前記被検体を通過しない部分が厚くなるように、その板厚が調整されたものである請求項１〜請求項３のいずれか一項に記載のＸ線ＣＴ装置（１００）。
【請求項５】
Ｘ線源（２１）と、複数個配列された検出器素子がＺ軸方向複数列配列され、前記Ｘ線源（２１）から照射されたＸ線を収集するＸ線検出アレイ（２７）とを備える、Ｘ線ＣＴ装置（１００）に使用されるフィルタ板（２５）であって、
該フィルタ板（２５）は、前記Ｘ線源（２１）と、前記被検体（Ｊ）との間に配置され、
前記フィルタ板（２５）は、前記Ｘ線源から照射されたＸ線のＺ軸方向のＸ線強度分布の均一性が、前記フィルタ板を通過する前よりも前記フィルタ板を通過した後の方が高くなるように、その板厚をＺ軸方向に変化させたものであるフィルタ板（２５）。
【発明の詳細な説明】
【技術分野】
【０００１】
本発明は、所謂多列Ｘ線検出アレイ（ａｒｒａｙ）を有するＸ線ＣＴ装置及びそれに使用される使用されるフィルタ（ｆｉｌｔｅｒ）板に関する。
【背景技術】
【０００２】
従来から、被検体の病巣を発見しその位置を特定する為に計算機式断層写真（ＣＴ）法が用いられている。かかるＣＴ法においては、Ｘ線源から照射され、被検体を通過し、検出器が検出したＸ線の投影データ（ｄａｔａ）から被検体の断面画像を再構成することができる。
【０００３】
図８は、かかるＣＴ法に用いられるＸ線ＣＴ装置の要部構成図である。Ｘ線管２１に含まれる陰極フィラメント（ｆｉｌａｍｅｎｔ）２１５は、回転するターゲット（ｔａｒｇｅｔ）２１３に向かって電子ビーム（ｂｅａｍ）を出射し、これにより、Ｘ線管２１からＸ線が出射する。コリメータ（ｃｏｌｌｉｍａｔｏｒ）２３は、スリット（ｓｌｉｔ）によりフィルタ板２５を通過したＸ線を偏平なＸ線ビームにする。検出器アレイ２７は、いわゆるマルチディテクタ（ｍｕｌｔｉ  ｄｅｔｅｃｔｏｒ）であり、後述するＺ軸方向において６４列の検出器アレイを備えている。フィルタ板２５は、Ｘ線の一部をフィルタリング（ｆｉｌｔｅｒｉｎｇ）する物質で作られた板(例えばアルミ（ａｌｍｉｎｉｕｍ）板)である。かかる従来のフィルタ板２５は一般的にＺ軸方向において一様な厚みを有していた（例えば、特許文献１参照）。
【０００４】
【特許文献１】特開平１０−３２３３４８号公報
【発明の開示】
【発明が解決しようとする課題】
【０００５】
ところで、Ｘ線管２１のターゲット２１３は、傾斜部２１３において電子ビームをＸ線に変換しており、Ｘ線のヒール（ｈｅｅｌ）効果により、Ｚ軸方向において一様な強度を持つＸ線を出射されていないことが判明された。図９はかかるＸ線のＺ軸方向における非一様性を示すグラフ（ｇｒａｐｈ）である。具体的には、図９（ａ）は、被検体が配置されていない状態で、Ｘ線管２１から照射した場合、Ｘ線検出アレイが検出するＺ軸方向のＸ線の強度を示している。図９（ｂ）は、図９（ａ）の円部分８０１を拡大したグラフであり、検出器アレイの１〜６４列に入射する部分を含んでいる。図９（ｂ）に示されているように検出器アレイの第１列に入射するＸ線は高い強度を有し、検出器の列番号が異なるに従ってＸ線の強度は低下することが判明した。かかる問題は検出器が多列化していない従来のＣＴ装置においては問題を発生しなかったので検討されていなかった。
【０００６】
本発明は、上記問題点を鑑みてなされたものであり、所謂多列Ｘ線検出アレイを有するＸ線ＣＴ装置において、各検出器列に入射するＸ線の強度の均一性が向上したＸ線ＣＴ装置提供することを目的とする。さらに、本発明は、前記Ｘ線ＣＴ装置に用いられるフィルタ板を提供することを他の目的とする。
【課題を解決するための手段】
【０００７】
本発明の第１の観点は、Ｘ線コンピュータ（ｃｏｍｐｕｔｅｒ）断層撮影（ＣＴ）装置（１００）であって、Ｘ線源（２１）と、複数個配列された検出器素子が被検体（Ｊ）の体軸方向であるＺ軸方向に複数列配列され、前記Ｘ線源（２１）から照射されたＸ線を収集するＸ線検出アレイ（２７）と、前記被検体（Ｊ）を載置し、前記Ｘ線源（２１）及び前記Ｘ線検出アレイ（２７）との間に前記被検体を配置する撮影テーブル（ｔａｂｌｅ）（１０）と、前記Ｘ線源（２１）と、前記被検体（Ｊ）との間に配置されたフィルタ板（２５）と、前記被検体（Ｊ）と前記フィルタ板（２５）の間に配置され、前記Ｘ線源から照射されたＸ線の照射範囲を制限するコリメータ（２３）と、を含み、前記フィルタ板（２５）は、前記Ｘ線源から照射されたＸ線のＺ軸方向のＸ線強度分布の均一性が、前記フィルタ板を通過する前よりも前記フィルタ板を通過した後の方が高くなるように、その板厚をＺ軸方向に変化させたものであるＸ線ＣＴ装置（１００）、というものである。
【０００８】
また、本発明の第２の観点は、第１の観点において、前記Ｘ線源（２１）は、複数の線質のＸ線をそれぞれ照射するものであり、前記Ｘ線ＣＴ装置は、前記複数の線質のＸ線それぞれに対応させた、材料が異なる複数の前記フィルタ板（２５）を含んでいる、というものである。
【０００９】
また、第３の観点は、第２の観点において、前記Ｘ線ＣＴ装置（１００）は、前記Ｘ線源（２１）および前記検出器アレイ（２７）を回転させる回転部を有しており、ヘリカル・スキャン（ｈｅｌｉｃａｌ  ｓｃａｎ）を行うに際し、被検体の所望の撮影位置について、前記第１のフィルタを通過したＸ線を用いた前記被検体（Ｊ）の走査を行うために、前記回転部により前記Ｘ線源および前記検出器アレイを所定角度範囲回転させ、別の回転範囲において、前記被検体の所望の撮影位置について、前記第２のフィルタを通過したＸ線を用いた前記被検体（Ｊ）の走査を行うように構成されている、というものである。
【００１０】
また、第４の観点は、第１の観点〜第３の観点のいずれかにおいて、前記フィルタ板（２５）は、前記Ｘ検出アレイにより検出されたＸ線の前記Ｚ軸方向と垂直な方向において、前記被検体を通過するＸ線が通過する部分が薄く、前記被検体を通過しない部分が厚くなるように、その板厚が調整されたものである、というものである。
【００１１】
また、第５の観点は、Ｘ線源（２１）と、複数個配列された検出器素子がＺ軸方向複数列配列され、前記Ｘ線源（２１）から照射されたＸ線を収集するＸ線検出アレイ（２７）とを備える、Ｘ線ＣＴ装置（１００）に使用されるフィルタ板（２５）であって、
該フィルタ板（２５）は、前記Ｘ線源（２１）と、前記被検体（Ｊ）との間に配置され、
前記フィルタ板（２５）は、前記Ｘ線源から照射されたＸ線のＺ軸方向のＸ線強度分布の均一性が、前記フィルタ板を通過する前よりも前記フィルタ板を通過した後の方が高くなるように、その板厚をＺ軸方向に変化させたものであるフィルタ板（２５）、というものである。
【発明の効果】
【００１２】
本発明のＸ線ＣＴ装置によれば、所謂多列Ｘ線検出アレイを有するＸ線ＣＴ装置において、各検出器列に入射するＸ線の強度の均一性が向上したＸ線ＣＴ装置が提供される。
また、本発明のフィルタ板によれば、所謂多列Ｘ線検出アレイを有するＸ線ＣＴ装置用いることで、該Ｘ線ＣＴ装置の各検出器列に入射するＸ線の強度の均一性を向上することができる。
【発明を実施するための最良の形態】
【００１３】
以下添付した図面を参照して、本発明を好適な実施形態に従って、詳細に説明する。
【００１４】
図１には、所謂「第３世代」のＣＴスキャナ（ｓｃａｎｎｅｒ）を表すガントリ（ｇａｎｔｒｙ）２０を含むＸ線コンピュータ断層撮影（Ｘ線ＣＴ）装置１００が示されている。ガントリ２０はＸ線源２１を含み、Ｘ線源２１はガントリ２０の対向面上に位置する検出器アレイ２７に向けてＸ線ビームを照射する。検出器アレイ２７は２次元に配置された複数の検出器素子を備える複数の検出器モジュール（ｍｏｄｕｌｅ）により形成されており、これらの検出器素子は一体となって被検体Ｊを透過後の入射Ｘ線を検出する。各々の検出器素子は、入射したＸ線の強度を示す電気信号、つまり被検体Ｊを透過したＸ線ビームの減弱量を示す電気信号を発生する。スキャン（ｓｃａｎ）によりＸ線投影データを収集する間に、ガントリ２０及びガントリ上に装着された構成部品は回転中心の周りを回転する。
【００１５】
図２は、Ｘ線ＣＴ装置１００の構成ブロック（ｂｌｏｃｋ）図である。このＸ線ＣＴ装置１００は、操作コンソール（ｃｏｎｓｏｌｅ）１と、Ｚ軸方向に沿って移動する撮影テーブル１０と、走査ガントリ２０とを具備している。前記操作コンソール１は、ヘリカル・スキャン等の走査方式の特定や、ヘリカル・ピッチ（ｈｅｌｉｃａｌ  ｐｉｔｃｈ）、Ｘ線管に供給する電流値、電圧値等の各種走査条件等の操作者の指示入力や情報入力などを受け付ける入力装置２と、ヘリカル・スキャン等の走査方式の特定や、ヘリカル・ピッチ、Ｘ線管に供給する電流値、電圧値等の各種走査条件等の設定に基づいて走査処理などを実行する制御を行う中央処理装置３と、制御信号などを前記撮影テーブル１０や前記走査ガントリ２０とやり取りする制御インタフェース（ｉｎｔｅｒｆａｃｅ）４と、走査ガントリ２０で取得したデータを収集するデータ収集バッファ（ｂｕｆｆｅｒ）５と、前記データから再構成して得たＸ線画像を表示するＣＲＴ６と、プログラム（ｐｒｏｇｒａｍ）やデータやＸ線画像を記憶する記憶装置７とを具備している。前記撮影テーブル１０は、被検体Ｊを乗せて体軸方向に移動させる。前記走査ガントリ２０は、Ｘ線管２１と、Ｘ線コントローラ２２と、コリメータ２３と、コリメータコントローラ（ｃｏｌｌｉｍａｔｏｒ  ｃｏｎｔｒｏｌｌｅｒ）２４と、前記Ｘ線管２１から出射されたＸ線を透過させる際にその短波長成分よりも長波長成分を大きく減衰させるフィルタ板２５と、Ｘ線の透過経路中に前記フィルタ板２５を介在させたりＸ線の透過経路中から前記フィルタ板２５を移動・交換する制御を行うフィルタ板コントローラ（ｃｏｎｔｒｏｌｌｅｒ）２６と、検出器アレイ２７と、データ収集部（ＤＡＳ）２８と、被検体の体軸の回りにＸ線管２１などを回転させる回転コントローラ２９とを具備している。
【００１６】
図３及び図４に示されているように、検出器アレイ２７は複数の検出器素子５８を含んでいる。各検出器素子５８は、検出器ハウジング（ｈｏｕｓｉｎｇ）６０に取り付けられている。各検出器素子５８は、多次元シンチレータ・アレイ（ｓｃｉｎｔｉｌｌａｔｏｒ  ａｒｒａｙ）６２及び高密度半導体アレイ（図示せず）を含んでいる。Ｘ線ビームがシンチレータ・アレイ６２に入射する前にこのようなＸ線ビームをコリメートするポスト・ペイシェント・コリメータ（ｐｏｓｔ  ｐａｔｉｅｎｔ  ｃｏｌｌｉｍａｔｏｒ）（図示せず）が、シンチレータ・アレイの近傍でこれを覆うように配置される。シンチレータ・アレイ６２は複数個のシンチレーション（ｓｃｉｎｔｉｌｌａｔｉｏｎ）素子のアレイを含む。また半導体アレイは、シンチレータ・アレイの配列と一致した配置をもつ複数個のフォトダイオードｐｈｏｔｏｄｉｏｄｅ）（図示せず）を含む。フォトダイオードは基板６４上に堆積され又は形成されており、シンチレータ・アレイ６２は基板６４を覆うように配置されて基板に固定されている。
【００１７】
検出器素子５８はまた、デコーダ（ｄｅｃｏｄｅｒ）６８と電気的に接続するスイッチ（ｓｗｉｔｃｈ）装置６６を含む。スイッチ装置６６は、フォトダイオード・アレイ（ｐｈｏｔｏｄｉｏｄｅ  ａｒｒａｙ）と同じ大きさをもつ多次元の半導体スイッチ・アレイ（ｓｗｉｔｃｈ  ａｒｒａｙ）で形成されている。一実施態様では、スイッチ装置６６は電界効果トランジスタ（ＦＥＴ）のアレイ（図示せず）を含み、各々のＦＥＴが入力、出力及び制御線（図示せず）を有する。スイッチ装置６６はフォトダイオード・アレイとＤＡＳ２８との間に接続されている。具体的に述べると、スイッチ装置の各々のＦＥＴ入力がフォトダイオード・アレイの出力に電気的に接続され、またスイッチ装置の各々のＦＥＴ出力がＤＡＳ２８に電気的に接続されている。この接続には、たとえば可撓性の電気ケーブル（ｃａｂｌｅ）７０が用いられる。
【００１８】
デコーダ６８はスイッチ装置６６の動作を制御し、所望のスライス（ｓｌｉｃｅ）数及び所望のスライス分解能にしたがって、フォトダイオード・アレイの出力を、各スライスごとに有効にしたり、無効にしたり、あるいは組み合わせたりする。デコーダ６８は、一実施態様においては、公知のデコーダ・チップ（ｄｅｃｏｄｅｒ  ｃｈｉｐ）あるいはＦＥＴコントローラである。デコーダ６８は複数の出力及び制御線を含み、これらはスイッチ装置６６及びコンピュータ３６に結合される。具体的に述べると、デコーダの出力はスイッチ装置制御線に電気的に接続されて、スイッチ装置６６がスイッチ装置入力からスイッチ装置出力に適正なデータを渡すことを可能にする。デコーダ制御線はスイッチ装置制御線に電気的に接続されており、これによりデコーダ出力のうちのどれを有効とするかを決定する。デコーダ６８を利用して、スイッチ装置６６内の特定のＦＥＴを有効にし、無効にし、あるいは組み合わせることにより、フォトダイオード・アレイの特定の出力がＣＴ装置のＤＡＳ２８に電気的に接続されるようにすることが出来る。６４スライス・モード（ｓｌｉｃｅ  ｍｏｄｅ）と規定される一実施態様では、フォトダイオード・アレイのすべての行がＤＡＳ２８に電気的に接続されるように、デコーダ６８によりスイッチ装置６６を作動することができる。この結果、６４スライス分のデータを別々に、かつ同時にＤＡＳ２８に送ることができる。もちろん、これ以外に多くのスライスの組み合わせが可能である。
【００１９】
特定の一実施態様では、Ｘ線検出アレイ１８は５７個の検出器素子５８を含んでいる。半導体アレイ及びシンチレータ・アレイ６２の各々は、それぞれ６４×１６のアレイ・サイズ（ａｒｒａｙ  ｓｉｚｅ）を持つ。このため、Ｘ線検出アレイ１８は６４列かつ９１２列（１６×５７モジュール）となり、ガントリ１２の一回転あたり同時に６４スライス分のデータを収集できる。もちろん、本発明は特定のアレイ・サイズに限定されるものではなく、アレイのサイズはオペレータの具体的ニーズ次第で大きくも小さくもできると考える。検出器１８はまた、多くの異なるスライス厚やスライス数のモード（たとえば１スライス、２スライス、４スライス・モードなど）で動作させることができる。たとえば、ＦＥＴを４スライス・モードで構成することができ、これによりフォトダイオード・アレイの一列以上の列から４スライス分のデータを収集できる。具体的なＦＥＴの構成をデコーダ制御線により決めることによって、フォトダイオード・アレイの出力を様々な組合せで、有効にしたり、無効にしたり、あるいは組み合わせたりすることが可能となり、これにより、例えば、１．２５mm、２．５mm、３．７５mm、５mmのスライス厚が得られる。別の例としては、１．２５mmから２０mmまでの範囲のスライス厚のうちの一つのスライスから成る単一スライス・モードや、１．２５mmから１０mmまでの範囲のスライス厚のうち二つのスライスから成る２スライス・モードがある。さらに、上記のモードを上回るモードも可能である。
【００２０】
図５は、本発明の一実施形態にかかるフィルタ板２５を説明する概念図である。図に示されているように、本願の一実施形態におけるフィルタ板２５は、Ｚ軸方向にその板厚が連続的に変化する、Ｚ軸方向への傾斜面を有する形状を有しており、複数の検出器列に渡って均一な強度のＸ線を放出するように設計されている。この実施例においてフィルタ板２５の材質はアルミニウム（ａｌｍｉｎｉｕｍ）が使用されている。アルミニウムに替えてエポキシ（ｅｐｏｘｙ）混合物、ポリエチレン（ｐｏｌｙｅｔｈｙｌｅｎｅ）、グラファイト（ｇｒａｐｈｉｔｅ）、銅、チタン（ｔｉｔａｎｉｕｍ）等を使用することもできる。さらに、フィルタ板の薄型化とＺ軸方向にその板厚が連続的に変化したフィルタ板の製造の容易化の双方を実現するために、例えば５０マイクロメートル（ｍｉｃｒｏｍｅｔｅｒ）厚の銅板に平均で１０ｍｍ厚を有し、所定の傾斜厚を有するグラファイトや１８mm平均厚を有し、所定の傾斜厚を有するポリエチレンを張り合わせることが可能である。
【００２１】
この実施例においてフィルタ板２５は図９で示したＺ軸方向に傾斜（検出器の列番号が異なるに従ってＸ線の強度が低下）する効果を補償し、検出器アレイの複数の列に亘り強度の均一性が向上したＸ線がフィルタ板２５から放出するように設計されている。
【００２２】
具体的には、図６に示すように、被検体が配置されていない状態で、フィルタ板２５を通過するＸ線のＺ軸方向のＸ線強度の測定を行い、フィルタ板２５の傾斜角を算出する。本願発明の一実施態様においては、検出器アレイ２７の第１列に対応する位置６０１と検出器アレイ２７の最終列（６４列）に対応する位置６０５とを結ぶ直線に基づいてフィルタ板２５の傾斜角が算出される。別法においては、検出器アレイ２７の中心付近に対応する位置においてＸ線の強度が調べられ、検出器アレイ２７の中心に対応するＺ位置６０３におけるＸ線強度の分布曲線６１５の接線６１３を求め、この接線６１３に基づいてフィルタ板２５の傾斜角が算出される。
【００２３】
Ｘ線強度の分布曲線６１５は、Ｘ線管２１に入力されるＸ線管電圧によって変化する曲線であり、本願の好適な実施例においては、このＸ線ＣＴ装置で使用されるＸ線管２１に供給されるＸ線管電圧に応じてフィルタ板２５が複数用意される。具体的には図２の操作コンソール１の入力装置で特定されたＸ線管２１に入力されるＸ線管電圧が、現在使用しているフィルタ板２５に対応していない場合、中央処理装置３は、フィルタ板コントローラ２６にフィルタ板２５の交換を指示するコマンド（ｃｏｍｍａｎｄ）を送出する。このコマンドを受けたフィルタ板コントローラ２６は、コマンドに含まれるフィルタ板の種類の情報に対応したフィルタ板の交換を行う。
【００２４】
さらに、この実施例においてフィルタ板２５は前記Ｚ軸方向と垂直なＹ軸方向（図５の紙面の前後方向）において被検体を通過するＸ線が通過する部分が薄く、被検体を通過しない部分が厚くなるように、その板厚が調整されたものである。即ち、被検体を通過するＸ線と被検体を通過しないＸ線の強度に大きな差が生じないように、被検体の形状にほぼ合うように、中央部に凹部を有するフィルタとして構成されている。
【００２５】
尚、フィルタ板２５は適切なＺ軸位置に配置されるようにＺ軸方向の位置が調整される。
【００２６】
図７は、本発明の他の実施形態にかかるフィルタ板２５を説明する概念図である。本実施形態は、例えば、２種類の管電圧のＸ線管（例えば、８０ｋＶと１４０ｋＶ）による２種類の線質のＸ線を用いた、所謂デュアルエナジー（ｄｕａｌ  ｅｎｅｒｇｙ）法に適用したフィルタ板である。
【００２７】
図に示されているように、この実施形態におけるフィルタ板２５は、中央部２５１を境に材料が異なる２つのフィルタ板２５Ａ、２５Ｂを含んでいる。２つの部分２５Ａ、２５Ｂの夫々はＺ軸方向の座標値が異なるに従って薄くなる形状を有しており、図９で示したＺ軸方向に傾斜する効果を補償し、夫々のフィルタ板（２５Ａ，２５Ｂ）において検出器アレイの複数の列に亘り強度の均一性が向上したＸ線がフィルタ板（２５Ａ，２５Ｂ）から放出するように設計されている。尚、Ｘ線がフィルタ板（２５Ａ，２５Ｂ）は、それぞれ異なるＸ線管電圧を用いたＸ線を通過させるようにするため、上記設計は、それぞれの線質のＸ線に対して行われる。尚、この実施例において、検出器アレイの紙面において右側の検出器アレイ２７Ａは、左側の検出器アレイ２７Ｂと異なる線質のＸ線を検出するものとする。本実施例においては、それぞれのフィルタは材質を変えることができ、例えば、フィルタ板の第１の部分２５Ａのフィルタ材料はアルミニウムであり、フィルタ板の第２の部分２５Ｂのフィルタ材料はグラファイトとすることができる。フィルタ材料として、エポキシ混合物、ポリエチレン、銅、チタン等も採用可能であり、様々な組み合わせでこの実施例のフィルタ板２５を作成することができる。また、厚さの調整により材料の密度の違いを補償することも可能である。たとえば、フィルタ板２５の第２の部分２５Ｂを５４mm平均厚のグラファイトや９５mm平均厚のポリエチレンとすることや、フィルタ板２５の第１の部分２５Ａを７５マイクロメートル平均厚の銅や３２５マイクロメートル平均厚のチタンと置換することが可能である。この実施例においても、上記実施例同様、フィルタ板２５の第１の部分２５Ａ及び第２の部分２５ＢはＹ軸方向（図の紙面の前後方向）において中央部に凹部を有するフィルタとして構成されている。
【００２８】
また、フィルタ板２５の第１及び第２の部分２５Ａ、２５Ｂの厚みを調整する（第１の部分２５Ａの厚さを第２の部分２５Ｂの厚みよりも厚くする）ことで、低いエネルギー（ｅｎｅｒｇｙ）側のＸ線照射量と高いエネルギー側のＸ線照射量と近づけることが可能となり、供給する電流値、電圧値を一定にすることができる。この場合、スカウト・スキャン（ｓｃｏｕｔ  ｓｃａｎ）（ガントリを回転させない状態でのスキャン）などにより実験的に求める方法や各材質の単位長さあたりのＸ線吸収量を用いて計算により求める方法などから最適なフィルタ板の厚さを調整することができる。
【００２９】
尚、本発明は上記実施形態に限定されるものではない。
【００３０】
例えば、本願発明は人体、動植物の検査のみならず、例えば配管の内側表面の状態を検査することにも適用可能である。
【００３１】
また、本明細書に記載したＣＴ装置は、Ｘ線源及び検出器の両方がガントリと共に回転する「第３世代」の装置である。検出器が全環状で静止しておりＸ線源のみがガントリと共に回転する方式の「第４世代」の装置など、他の多くのＣＴ装置を用いることもできる。さらに、実施例においてはフィルタ板は特定の材料により製造されているが、本発明の要旨及び範囲から逸脱することなく様々な複合または単一の材料から製造することができるものであり、かかる全ての変形は本書で網羅されているものとする。
【図面の簡単な説明】
【００３２】
【図１】本発明の一実施形態にかかるＸ線ＣＴ装置を示す図である。
【図２】本発明の一実施形態にかかるＸ線ＣＴ装置のブロック図である。
【図３】Ｘ線ＣＴ装置の検出器アレイの斜視図である。
【図４】検出器アレイの斜視図である。
【図５】本発明の一実施形態を説明する概念図である。
【図６】Ｘ線強度分布の模式図である。
【図７】本発明の一実施形態を説明する概念図である。
【図８】図１のＸ線ＣＴ装置の要部構成図である。
【図９】Ｘ線強度分布の模式図である。
【符号の説明】
【００３３】
１００  Ｘ線ＣＴ装置
１  操作コンソール
２  入力装置
３  中央処理装置
４  制御インタフェース
５  データ収集バッファ
６  ＣＲＴ
７  記憶装置
１０  撮影テーブル
２０  ガントリ
２１  Ｘ線管
２２  Ｘ線コントローラ
２３  コリメータ
２４  コリメータコントローラ
２５  フィルタ板
２６  フィルタ板コントローラ
２７  検出器アレイ
２７０  検出器素子
２８  データ収集部（ＤＡＳ）
２９  回転コントローラ
【図１】
2009028110.tif 000003
【図２】
2009028110.tif 000004
【図３】
2009028110.tif 000005
【図４】
2009028110.tif 000006
【図５】
2009028110.tif 000007
【図６】
2009028110.tif 000008
【図７】
2009028110.tif 000009
【図８】
2009028110.tif 000010
【図９】
2009028110.tif 000011